(57)【要約】【課題】本発明は、往き水路にスラッジ等の異物の混入がないため、加熱装置の詰まりや損傷がなく、しかも、メンテナンスや貯湯タンクの湯水を利用する場合の使い勝手のよい貯湯式給湯器を提供することを目的とする。【解決手段】本発明は、貯湯タンクと、この貯湯タンクの外部に設けられ湯水を加熱する加熱装置と、前記貯湯タンクの底部から前記加熱装置に湯水を供給する往き水路と、前記加熱装置で加熱した湯水を前記貯湯タンクの上部に戻す戻り水路と、前記貯湯タンクの底部から湯水を排出する排水水路とを備える貯湯式給湯器において、前記往き水路と排水水路とが独立して設けられてこれらのそれぞれが直接前記貯湯タンクに接続され、前記貯湯タンク内の前記往き水路への湯水の流入口が、前記貯湯タンク内の底面よりも高い位置に設けられた貯湯式給湯器である。【選択図】図１
2008045821.tif 000002
【特許請求の範囲】
【請求項１】
貯湯タンクと、
この貯湯タンクの外部に設けられ湯水を加熱する加熱装置と、
前記貯湯タンクの底部から前記加熱装置に湯水を供給する往き水路と、
前記加熱装置で加熱した湯水を前記貯湯タンクの上部に戻す戻り水路と、
前記貯湯タンクの底部から湯水を排出する排水水路とを備える貯湯式給湯器において、
前記往き水路と排水水路とが独立して設けられてこれらのそれぞれが直接前記貯湯タンクに接続され、
前記貯湯タンク内の前記往き水路への湯水の流入口が、前記貯湯タンク内の底面よりも高い位置に設けられた貯湯式給湯器。
【請求項２】
請求項１において、
往き水路と接続する貯湯タンクの底部が、前記貯湯タンクの外側へ突出したフランジを有する接続部材と、このフランジに固定された継ぎ手Ａとを有し、
前記貯湯タンクと接続する往き水路が、その末端よりも手前の位置に固定された継ぎ手Ｂを有し、
前記継ぎ手Ａと継ぎ手Ｂとが、それぞれフランジＡ、Ｂを有し、
これらのフランジＡ、Ｂをクランプすることによって、前記継ぎ手Ａと継ぎ手Ｂとが接続された貯湯式給湯器。
【発明の詳細な説明】
【技術分野】
【０００１】
本発明は、例えば、電気温水器、ヒートポンプ式給湯器、太陽熱集熱式給湯器のような貯湯式給湯器に関する。
【背景技術】
【０００２】
貯湯式給湯器は、電気温水器やヒートポンプ式給湯器等で沸き上げた湯を、貯湯タンクに貯湯する方式が用いられている。
【０００３】
図４〜図６は、このような貯湯式給湯器の一例で、ヒートポンプ式の貯湯式給湯器を示す。貯湯タンク１の底部１３には往き水路２が接続されており、この往き水路２が貯湯タンク１の湯水を加熱装置３であるヒートポンプ３に供給する。ヒートポンプ３には戻り水路４が接続されており、この戻り水路４によってヒートポンプ３で加熱された湯水が貯湯タンク１の上部から貯湯タンク１に戻される（特許文献１）。
【０００４】
往き水路２と接続する貯湯タンク１の底部１３には、外側方向へ突出したフランジ６を形成する接続部材７を有しており、このフランジ６に継ぎ手Ａ１５が固定される。一方、給湯タンク１に接続する往き水路２の末端８には、継ぎ手Ｂ９が固定されている。そして、継ぎ手Ａ１５と継ぎ手Ｂ９のフランジＡ１０とフランジＢ１１とをクランプ（図示せず）によって接続する構造となっている。
【０００５】
また、メンテナンスや貯湯タンク１内の湯水を災害等の際に利用する際の便宜のため、往き水路２を分岐し、排水や取水の可能な排水水路１２に接続する方法が知られている。このような貯湯式給湯器では、ヒートポンプでの熱効率を向上させるとともに、排水時に貯湯タンク１内の湯水を残さずに排水するため、湯水の温度の低い貯湯タンク１の底部１３から往き水路２に湯水を流入させるものがある（特許文献２）。
【特許文献１】特開２００４−１２５３０６号公報
【特許文献２】特願２００６−０４１０２１
【発明の開示】
【発明が解決しようとする課題】
【０００６】
しかしながら、貯湯タンクの底部にスラッジ等が堆積し易いため、このように、貯湯タンクの底部から往き水路に湯水を流入させる場合は、往き水路にスラッジが入り込み、加熱装置に詰まりや損傷を与える問題がある。
【０００７】
本発明は、このような問題を解決するものであり、往き水路にスラッジ等の異物の混入がないため、加熱装置の詰まりや損傷がなく、しかも、メンテナンスや貯湯タンクの湯水を利用する場合の使い勝手のよい貯湯式給湯器を提供することを目的とする。
【課題を解決するための手段】
【０００８】
（１）本発明は、貯湯タンクと、この貯湯タンクの外部に設けられ湯水を加熱する加熱装置と、前記貯湯タンクの底部から前記加熱装置に湯水を供給する往き水路と、前記加熱装置で加熱した湯水を前記貯湯タンクの上部に戻す戻り水路と、前記貯湯タンクの底部から湯水を排出する排水水路とを備える貯湯式給湯器において、前記往き水路と排水水路とが独立して設けられてこれらのそれぞれが直接前記貯湯タンクに接続され、前記貯湯タンク内の前記往き水路への湯水の流入口が、前記貯湯タンク内の底面よりも高い位置に設けられた貯湯式給湯器である。
（２）また、本発明は（１）において、往き水路と接続する貯湯タンクの底部が、前記貯湯タンクの外側へ突出したフランジを有する接続部材と、このフランジに固定された継ぎ手Ａとを有し、前記貯湯タンクと接続する往き水路が、その末端よりも手前の位置に固定された継ぎ手Ｂを有し、前記継ぎ手Ａと継ぎ手Ｂとが、それぞれフランジＡ、Ｂを有し、これらのフランジＡ、Ｂをクランプすることによって、前記継ぎ手Ａと継ぎ手Ｂとが接続された貯湯式給湯器である。
【発明の効果】
【０００９】
本発明によれば、往き水路にスラッジ等の異物の混入がないため、加熱装置の詰まりや損傷がなく、しかも、メンテナンスや貯湯タンクの湯水を利用する場合の使い勝手のよい貯湯式給湯器を提供することができる。
【発明を実施するための最良の形態】
【００１０】
本発明の貯湯式給湯器の一例を、図１〜図３に示す。本発明の貯湯式給湯器は、貯湯タンク１と、貯湯タンク１の外部に設けられ湯水を加熱する加熱装置３と、貯湯タンク１の底部１３から加熱装置３に湯水を供給する往き水路２と、加熱装置３で加熱した湯水を貯湯タンク１の上部に戻す戻り水路４と、貯湯タンク１の底部１３から湯水を排出する排水水路１２とを備える貯湯式給湯器において、往き水路２と排水水路１２とが独立して設けられてこれらのそれぞれが直接貯湯タンク１に接続され、貯湯タンク１内の往き水路２への湯水の流入口８が、貯湯タンク１内の底面１４よりも高い位置に設けられた貯湯式給湯器である。
【００１１】
貯湯タンク１は、加熱装置３により加熱された湯を貯えるものであり、材質、形状、容量等、特に限定するものではない。貯湯式給湯器の貯湯タンク１として通常用いられる、ステンレスを用い、円筒形で、容量が３００ｌ、３７０ｌ、４６０ｌ等のものを用いることができる。また、貯湯タンク１の周りには断熱材（図示しない）を配置するのが望ましい。
【００１２】
加熱装置３は、貯湯タンク１の湯水を加熱することが可能なものであれば、特に限定はなく、ヒートポンプ、電気ヒータ、ガスや灯油の燃焼熱を利用した給湯器が使用できる。深夜電力が利用でき、熱効率も高い点で、ヒートポンプ式の加熱装置が望ましい。なお、ヒートポンプを使用する場合、ヒートポンプで使用する冷媒は、高温貯湯が可能であることから炭酸ガスが望ましい。
【００１３】
往き水路２は、貯湯タンク１から加熱装置３に湯水を供給する水路であり、湯水の温度の低い貯湯タンク１の底部１３に接続される。これにより、特に加熱装置３がヒートポンプ３の場合、より低温から沸き上げることができ、熱効率を向上させることができる。
【００１４】
戻り水路４は、加熱装置３で加熱した湯水を貯湯タンク１に戻す水路であり、貯湯タンク１の上部から貯湯タンク１に接続される。これにより、貯湯タンク１の上部には高温の湯を、下部には低温の湯水を、異なる温度の湯層として貯湯できる。高温の湯と低温の湯水は混ざりにくいので、中途半端なぬるま湯になることはないため、高温の湯は熱源や混合水栓で所望の温度の湯として使用できる。
【００１５】
排水水路１２は、貯湯タンク１から湯水を排出する水路であり、貯湯タンク１の底部１３に接続される。これにより、排水時に貯湯タンク１内の湯水を残さずに排水することができ、メンテナンスや貯湯タンクの湯水を利用する場合の使い勝手を向上させることができる。
【００１６】
往き水路２と排水水路１２とは独立して設けられる。つまり、これらの水路２、１２は水路を共有することなく、これらの水路２、１２のそれぞれが直接貯湯タンク１に接続される。これにより、往き水路２と貯湯タンク１との接続、および、排水水路１２と貯湯タンク１との接続は、接続箇所が異なることとなり、それぞれ異なる接続構造を採ることができる。
【００１７】
貯湯タンク１内の往き水路２への湯水の流入口８は、貯湯タンク１の底部１３よりも高い位置に設けられる。つまり、往き水路２は貯湯タンク１の底部１３を突き抜けた状態で接続される。その結果、往き水路２の末端８は、貯湯タンク１内の底面１４よりも高い位置となる。そして、この往き水路２の末端８は開口しているので、貯湯タンク１内の湯水が加熱装置３に供給されるための往き水路２への流入口８となる。
【００１８】
排水水路２と貯湯タンク１との接続位置は、貯湯タンク１の湯水を完全に抜くことができるようにするため、貯湯タンク１の底部１３の最下点を含む位置に設けるのが望ましい。往き水路２と貯湯タンク１との接続位置は、排水水路１２のように、貯湯タンク１の底部１３の最下点である必要はないが、その近傍の位置に設けるのが望ましい。これにより、貯湯タンク１内の湯水のうち、低温の湯水を加熱装置３に供給することができ、加熱効率が向上できる。
【００１９】
往き水路２と貯湯タンク１との接続は、往き水路２と接続する貯湯タンク１の底部１３が、貯湯タンク１の外側へ突出したフランジ６を有する接続部材７と、このフランジ６に固定された継ぎ手Ａ１５とを有し、貯湯タンク１と接続する往き水路２が、その末端８よりも手前の位置に固定された継ぎ手Ｂ９を有し、継ぎ手Ａ７と継ぎ手Ｂ９とが、それぞれフランジＡ１０、フランジＢ１１とを有し、これらのフランジ１０、１１をクランプ（図示しない）することによって、継ぎ手Ａ１５と継ぎ手Ｂ９とが接続されることにより行われる。これにより、往き水路２と貯湯タンク１との接続が容易となるばかりでなく、往き水路２の末端８が確実に貯湯タンク１の底部１３に設けられた接続部材７の底面１４よりも高い位置となるようにすることができる。
【００２０】
往き水路２と接続する貯湯タンク１の底部１３に設けられる接続部材７は、貯湯タンク１の外側方向へ飛び出したフランジ６を有する。この接続部材７は、貯湯タンク１の底部１３に開口を設けた後、例えば溶接等によって、この開口の周囲に固定して設けられる。接続部材７に設けられたフランジ６は、継ぎ手Ａ１５を固定するために使われる。
【００２１】
継ぎ手Ａ１５は、接続部材７のフランジ６に溶接等によって固定され、継ぎ手Ｂ９とクランプ（図示しない）によって接続するためのフランジＡ１０を有している。また、継ぎ手Ｂ９は、往き水路２の末端８よりも手前の位置に固定され、継ぎ手Ａ１５と接続するためのフランジＢ１１を有している。このとき、フランジＢ１１も往き水路２の末端８の手前に位置するように固定するようにする。そして、継ぎ手Ａ１５と継ぎ手Ｂ９との接続は、それぞれが有するフランジ１０、１１をクランプすることにより行われる。このように、接続はフランジ１０、１１をクランプするだけでよいため、往き水路２と貯湯タンク１の底部１３との接続が容易となる。しかも、継ぎ手Ｂ９の固定位置から往き水路２の末端８までの距離を、継ぎ手Ａ１５と貯湯タンク１内の底面１４との距離よりも、大きくすることで、往き水路２の末端８、即ち湯水の流入口８は、確実に貯湯タンク１内の底面１４よりも高い位置とすることができる。この湯水の流入口８の高さは、継ぎ手Ｂ９の固定位置から往き水路２の末端８までの距離を任意に変更できるようにすることで、調整可能とすることができる。
【００２２】
往き水路２への流入口８の高さは、貯湯タンク１内の底面１４よりも高ければ高いほど、貯湯タンク１の底部１３に堆積したスラッジの流入を抑制する効果は大きいが、一方で、加熱装置３での熱効率を高めるには貯湯タンク１の底部１３の最下点に近い方が有利である。このため、貯湯タンク１の底部１３に堆積したスラッジの流入を抑制し、かつ、加熱装置３での熱効率を高める効果も大きい高さとしては、貯湯タンク１内の底面１４から５ｃｍ程度の高さに、流入口を設定するのが望ましい。
【実施例】
【００２３】
本発明の貯湯式給湯器の実施例を、図１に示す。貯湯タンク１は、ステンレス製の円筒形で容量は４６０ｌである。また、貯湯タンク１の周りには断熱材（図示しない）を配置する。加熱装置３は、深夜電力が利用でき、熱効率も高い点で、ヒートポンプ式の加熱装置３を用いる。ヒートポンプ３の冷媒としては、高温貯湯が可能であることから炭酸ガスを使用する。往き水路２は、貯湯タンク１の底部１３からヒートポンプ３へ繋がるように配管され、貯湯タンク１の湯水をヒートポンプ３へ供給する。戻り水路４は、ヒートポンプ３から貯湯タンク１の上部へ繋がるように配管され、ヒートポンプ３で加熱された湯水を貯湯タンク１へ供給する。往き水路２と排水水路１２とは独立して設けられ、これらの水路２、１２は水路を共有することなく、これらの水路２、１２のそれぞれが直接貯湯タンク１に接続される。排水水路１２は、貯湯タンク１の底部１３から排水溝など（図示しない）に繋がるように配管され、貯湯タンク１から湯水を排出することができる。
【００２４】
往き水路２は、貯湯タンク１内の底面１４を突き抜けた状態で、貯湯タンク１の底部１３に接続される。これにより、往き水路２の末端８は、貯湯タンク１内の底面１４よりも高い位置となる。そして、この往き水路２の末端８は開口しているので、貯湯タンク１内の湯水が加熱装置３に供給されるための往き水路２への流入口８となる。
【００２５】
排水水路２と貯湯タンク１との接続位置は、貯湯タンク１の湯水を完全に抜くことができるようにするため、貯湯タンク１の底部１３の最下点を含む位置に設ける。往き水路２と貯湯タンク１との接続位置は、排水水路２と貯湯タンク１の接続箇所に隣接して設ける。
【００２６】
往き水路２と貯湯タンク１の接続は、往き水路２と接続する貯湯タンク１の底部１３が、貯湯タンク１の外側方向へ突出したフランジ６を有する接続部材７と、このフランジ６に固定された継ぎ手Ａ１５とを有し、貯湯タンク１と接続する往き水路２が、その末端８よりも手前の位置に固定された継ぎ手Ｂ９を有し、継ぎ手Ａ１５と継ぎ手Ｂ９とが、それぞれフランジＡ１０とフランジＢ１１とを有し、これらのフランジ１０、１１をクランプすることによって、継ぎ手Ａ１５と継ぎ手Ｂ９とが接続されることにより行われる。
【００２７】
往き水路２と接続する貯湯タンク１の底部１３に設けられる接続部材７は、貯湯タンク１の底部１３に開口を設けた後、この接続部材７の周囲を貯湯タンク１の底部１３に溶接することによって、この開口を塞ぐように固定して設けられる。接続部材７にも往き水路２を貫通させるための開口が設けられており、この開口の周囲に貯湯タンク１の外側方向に向かって突出したフランジ６が設けられ、このフランジ６に継ぎ手Ａ１５が固定される。
【００２８】
継ぎ手Ａ１５は、接続部材７のフランジ６に溶接等によって固定され、継ぎ手Ｂ９とクランプ（図示しない）によって接続するためのフランジＡ１０を有している。また、継ぎ手Ｂ９は、往き水路２の末端８よりも手前の位置に固定され、継ぎ手Ａ１５と接続するためのフランジＢ１１を有している。このとき、フランジＢ１１も往き水路２の末端１８の手前に位置するように固定するようにする。そして、継ぎ手Ａ１５と継ぎ手Ｂ９との接続は、それぞれが有するフランジ１０、１１をクランプすることにより行う。湯水の流入口８の高さは、貯湯タンク１内の底面１４から５ｃｍ程度の高さに設定される。
【図面の簡単な説明】
【００２９】
【図１】本発明の実施例における貯湯式給湯器の全体の構成図である。
【図２】本発明の実施例における貯湯タンクと往き水路との接続構造を示す。
【図３】本発明の実施例における貯湯タンクと往き水路との接続構造の拡大を示す。
【図４】従来の貯湯式給湯器の全体の構成図である。
【図５】従来例における貯湯タンクと往き水路との接続構造を示す。
【図６】従来例における貯湯タンクと往き水路との接続構造の拡大を示す。
【符号の説明】
【００３０】
１…貯湯タンク
２…往き水路
３…加熱装置（ヒートポンプ）
４…戻り水路
５…接続部
６…フランジ
７…接続部材
８…末端（流入口）
９…継ぎ手Ｂ
１０…フランジＡ
１１…フランジＢ
１２…排水水路
１３…底部
１４…底面
１５…継ぎ手Ａ
【図１】
2008045821.tif 000003
【図２】
2008045821.tif 000004
【図３】
2008045821.tif 000005
【図４】
2008045821.tif 000006
【図５】
2008045821.tif 000007
【図６】
2008045821.tif 000008